(57)【要約】【課題】皮膚障害の原因となる薬剤を用いることなく、体温を逃がさないようにして保温するだけで安心して使用できると共に、特別な固定手段を必要とせず、患部に当てた時に、外れたり、ズレ動いたりすることがない。【解決手段】疎水性で熱伝導率の低い合成繊維２ａが表に、極細繊維２ｂが裏に現れるように構成された表生地２と発泡体シート３を接着剤５で部分的に接着すると共に、その発泡体シート３の下面に極細繊維からなる裏生地４を接着剤５で部分的に接合する。【選択図】        図１
2004267665.tif 000002
【特許請求の範囲】
【請求項１】
疎水性で熱伝導率の低い合成繊維が表に、極細繊維が裏に現れるように構成された表生地と発泡体シートを接着剤で部分的に接着すると共に、その発泡体シートの下面に極細繊維からなる裏生地を接着剤で部分的に接着してなる保温シート。
【請求項２】
発泡体シートは、ポリエチレン、ポリプロピレン、ポリスチレンなどの熱可塑性樹脂発泡体である請求項１に記載の保温シート。
【請求項３】
発泡体シートには備長炭粉末が混入されている請求項２記載の保温シート。
【発明の詳細な説明】
【０００１】
【発明の属する技術分野】
本発明は、体温を蓄熱して保温することにより、肩こり、腰痛、膝、肘の関節痛、筋肉痛、冷え症などの緩和、治療に用いる保温シートに関するもので、さらに詳しくは、薬剤による皮膚疾患を起こす危険性がなく、安全な温熱効果により患部を効果的に緩和、治療する健康維持に有効な保温シートに関するものである。
【０００２】
【従来の技術】
肩こり、腰痛、間接痛、筋肉痛などの治療には、一般的に患部を温め血管を拡張して血流を良くする温熱療法が行なわれている。その温熱療法が古くから行なわれている一つとして、タオルを蒸気で蒸し、その蒸しタオルを患部に当てることが行われている。この温熱療法は最も簡単な療法であるが、タオルを適温に蒸すのが難しく、高温になりすぎるため火傷を起こす危険性があった。
【０００３】
また、別のものとして、通気性袋体内に、空気と化学的に反応することによって発熱する粉状の発熱剤を充填した袋体（いわゆる使い捨てカイロ）を外装収納袋に入れて患部に当てるものがある。これは、使用中に絶えず酸素を供給する必要があるため、袋体が衣服等によって密閉されないように留意しなければいけない煩わしさがある。
【０００４】
さらに、他のものとして、温感刺激剤を配合したパップ剤がある。パップ剤は、一般にゼラチン、ポリビニールアルコール、ポリアクリル酸ナトリウム等の水溶性高分子化合物と、グリセリン、プロピレングリコール等の保湿成分と、カオリン、チタン白等の賦形剤と、水が配合された基材に、唐辛子エキスや唐辛子粉末、ノニル酸ワニリルアミドなどの温感刺激剤を配合し、不織布等の支持体に展延したものである。
【０００５】
このパップ剤の場合は、基材中に多量の水分が含まれているため、水の蒸発により貼付箇所が冷却されて、血行促進作用を阻害し、温めて治療する効果としては適していなかった。また、このハップ剤は肌に対する粘着力も弱く捲れたり、外れたりし易いため、固定用の補助テープなどを必要とした。
【０００６】
そのため、空気や酸素と化学反応することによって発熱する発熱剤層と粘着剤を含む湿布剤層とからなる温熱湿布剤が提案されている。（例えば、特許文献１〜３参照）
【０００７】
【特許文献１】
特開平１−２９７０５９号
【特許文献２】
特開平２−１４９７７２号
【特許文献３】
特開平３−１７３８１５号
【０００８】
【発明が解決しようとする課題】
しかしながら、前記の特許文献１〜３は、発熱剤層と粘着剤を含む湿布剤層とからなるものであり、湿布剤に配合されている温感刺激剤に対する感受性の個人差が大きいことから、人によっては刺激が強すぎて皮膚に合わず、発疹、発赤、かゆみ、かぶれ等の皮膚障害を生じることがあると共に、長時間使用すると低温火傷を生じることがあった。また、特に老人は皮膚が乾燥しており、同じ粘着剤でも若い人と較べると粘着力が強く発揮され、その結果、剥離時に痛みが強く感じることがあった。さらに、貼着していると化学剤特有の臭気を放ち敬遠されることが多かった。
【０００９】
本発明は、上記の問題を解決することを課題として開発されたもので、皮膚障害の原因となる薬剤を用いることなく、体温を逃がさないようにして保温するだけで安心して使用できると共に、特別な固定手段を必要とせず、患部に当てた時に、外れたり、ズレ動いたりすることのない利点を有する保温シートを提供することを目的とするものである。
【００１０】
【課題を解決するための手段】
上記の課題を解決し、その目的を達成する手段として、本発明では、疎水性で熱伝導率の低い合成繊維が表に、極細繊維が裏に現れるように構成された表生地と発泡体シートを接着剤で部分的に接着すると共に、その発泡体シートの下面に極細繊維からなる裏生地を接着剤で部分的に接着してなる保温シートを開発し、採用した。
【００１１】
また、本発明では、上記のように構成した保温シートにおいて、発泡体シートは、ポリエチレン、ポリプロピレン、ポリスチレンなどの熱可塑性樹脂発泡体である保温シート、および発泡体シートには備長炭粉末が混入されている保温シートを開発し、採用した。
【００１２】
【実施の形態】
以下に、本発明の実施の形態を添付の図面に基づいて説明すれば、図１〜図２は本発明の第１実施の形態を示しており、この実施の形態で示す保温シート１は、表生地２と発泡体シート３と裏生地４を接着剤５で接合した３層構造で構成されている。
【００１３】
上記の表生地２は、疎水性で熱伝導率の低い合成繊維と極細繊維を引き揃えて編み込んだ編物あるいは織り込んだ織物からなる生地であり、肌当て側となる表に疎水性で熱伝導率の低い合成繊維２ａを裏に極細繊維２ｂが配されている。
【００１４】
疎水性で熱伝導率の低い合成繊維２ａとしては、熱伝導率が６．１で公定水分率が０のポリプロピレンまたは熱伝導率が６．３で公定水分率が０のポリ塩化ビニルが好適である。また、極細繊維２ｂとしては、ポリエステル極細繊維やポリアミド極細繊維などの単独使用でもよく、両繊維２ａ，２ｂを引き揃えて添え糸編みされるのが適しているが、ポリエステル極細繊維とポリアミド極細繊維などの混用使用でも良い。
【００１５】
疎水性で熱伝導率の低い合成繊維２ａを肌当て側の表にするのは、保温シート１を患部に当てると皮膚温度が上がり発汗作用が生じた時に、疎水性で熱伝導率の低い合成繊維２ａであるから、汗を吸収せず、汗は裏の極細繊維２ｂによって吸収されて移動することになり、肌当て面が汗による逆冷え現象を防ぐようになっている。
【００１６】
中間層の発泡体シート３は、断熱効果を有する材料のものを用いるが、より高い蓄熱、保温効果が得られる空気層を含む発泡体組織の持つ合成樹脂発泡体シートがよく、中でも蓄熱、保温効果を考えると熱可塑性のポリエチレン発泡シート、ポリプロピレン発泡シートが適している。この場合、備長炭粉末を混入しているのを用いれば、汗等の臭気を吸着できるのでより好ましく、その備長炭粉末の混入量としては重量比で２０％程度混入しているのが最適である。
【００１７】
この発泡体シート３の厚さは、あまり厚くすると嵩張ってゴワゴワになり患部に当てた時に馴染みが悪いことから適さず、逆に薄くなると肌あたりが悪くなると共に、蓄熱、保温の効果がよくないことから、０．５〜２．０ｍｍの範囲であり、好ましくは０．８〜１．５ｍｍである。
【００１８】
発泡体シート３の下面に配する裏生地４は、表生地２を患部に当てた時に主として下着と接することになり、滑らないように摩擦係数の高い極細繊維または超極細繊維によって編成された編物地が適しているが織物地でも良い。極細繊維および超極細繊維は、繊維の断面が通常の丸い形と違い、鋭角断面の組み合わせなど異形断面になっていて、繊維の表面に凹凸をつくることから、摩擦係数が高くなり滑りを防止できる。
【００１９】
前記のように構成された保温シート１は、表生地２、発泡体シート３、裏生地４の順に重ねて接合されるが、表生地２と発泡体シート３、発泡体シート３と裏生地４は、発泡体シート３の両面に部分的に塗着された接着剤５で接合一体化されており、表生地２と裏生地４が発泡体シート３に対して点接着されていることから、空気層ができ、この空気層により蓄熱、保温効果が得られる。
【００２０】
上記のように構成された保温シート１は、例えば図３および図４に示すように、表生地２、発泡体シート３、裏生地４の４角をアール状に形成し、それぞれを図２で示したように接着剤５で接合して縁取りテープ６で縫着し、三者を一体とした小版の肩当パッド７として使用できる。また、図５に示すように、保温シート１の下側中央部に湾曲部８を形成して身体の曲面部に沿うようにした曲面当てパッド９として使用できる。さらに、図６に示すように、保温シート１の両側部に細幅の伸縮性ベルト１０，１０を取り付け、それぞれの端部に面ファスナー１１，１１を縫着して形成した腰部用当てパッド１２として使用することができる。
【００２１】
また、図７に示すように、縦に長い大きな長方形状にした保形シート１の裏面の４角に弾性を有するゴム状の帯体１２を取り付け、その帯体１２を敷き布団の上に載せ、帯体１２を敷き布団に装着する敷きパッド１３として使用できる。さらに、図８に示すように、保温シート１を筒状に形成して膝や肘に嵌めるサポーター１４として使うこともできる。また、図９に示すように、前布１５ａと後布１５ｂからなる肩覆い１５として用いることができる。
【００２２】
このように構成した本発明の使用例を作用効果と共に説明すれば、肩こりの緩和、治療の肩当パッド７として使用する時には、疎水性で熱伝導率の低い表生地２の合成繊維２ａ側を肌側に当てる。時間が経過すると発泡シート３により体温が空気中に放出されるの防ぎ、前記した空気層に蓄熱・保温され皮膚の温度を上昇させ血管を拡張し、さらに循環を促進して新陳代謝の亢進を図り、そして筋緊張の低下が期待でき肩こりの緩和、治療ができる。
【００２３】
この時、発泡体シート３は０．８〜１．５ｍｍと薄く形成されているから、手や腕を動かして肩部が動いたとしても、その動きに応じて馴染み、当接感が良いものとなる。さらに、皮膚温度が上がり発汗が生じても、肌に当たる面が疎水性で熱伝導率の低い繊維２ａで形成されているから、汗は吸収されずサラサラ状態を保持し、通り越した汗は裏側の超極細繊維糸２ｂにより吸収移動され肌当て面は逆冷えする現象がおこらない。
【００２４】
そして、肩に当てた肩当てパッド７は、裏生地４が摩擦係数の高い極細繊維の生地であるから、下着の生地と接触すると滑ることがなく、当てた肩部の箇所からずれ落ちるようなことがない。
【００２５】
（実施例１）
さらに、本発明の具体的実施例について述べる。１２０デニールのポリ塩化ビニル繊維２ａ（帝人（株）製  登録商標テビロン）を３本と、７５デニール２本を合糸した３本のポリエステル極細繊維２ｂを引き揃えて、表にポリ塩化ビニル繊維２ａを、裏にポリエステル極細繊維２ｂが現れるように添え糸編みで１ｍ×２５ｍの大きさの表面布２を編成した。
【００２６】
一方、厚さ０．８ｍｍのポリエチレン発泡体シート３を表生地２と同じ大きさ１ｍ×２５ｍに形成し、そのポリエチレン発泡体シート３の上面に部分的に合成ゴム系の接着剤５を塗着して表生地２と接合した。
【００２７】
裏生地４は、７５デニール２本を合糸した３本のポリエステル極細繊維をタック編みで裏生地とし、ポリエチレン発泡体シート３の上面に部分的に合成ゴム系の接着剤５を塗着して表生地２を接合した。表生地１と裏生地４がポリエチレン発泡体シート３と点接着するのは１ｃｍ２当り２〜３箇所であり、その時に塗着される接着剤の塗布量は１箇所で０．１ｇ程度である。
【００２８】
上記実施例で得られた保温シート１を用いて、図９に示すような肩覆い１５を形成し、それを着用した場合と、着用しない場合の患部の周辺体温を赤外線映像装置（日本アビオニックス（株）製  サーマルビデオシステム  ＴＶＳ−５００）を用いて測定した。室温２５℃で、肩覆い１４を着用する前と、着用した５分後外した時点を測定した。
【００２９】
試験結果の図１０Ａは着用した５分後外した直後の３３℃以上の部分を斜線で示したもの。一方、図１０Ｂは着用前の３０℃以上の部分を斜線で示したもので、肩覆い１５を使用した場合、温度の上昇範囲が拡大していることが分かる。
【００３０】
以上、本発明の主要な実施の形態について説明したが、本発明は、これらの実施に限定されるものではなく、本発明の目的を達成でき、かつ発明の要旨を逸脱しない範囲内で種々の設計変更が可能であり、それらも全て本発明の範囲内に包含されるものである。
【００３１】
【発明の効果】
以上のように、本発明は薬剤を使用していないので、肌荒れなどの皮膚障害を発生することがない。また、発熱体を用いていないことから、火傷の心配をしなくてよく、体温を逃がさないようにするだけの適度な温度であるから、安全な温熱効果で患部を有効的に緩和、治療ができ健康維持を図れると共に、発汗しても肌当接面の表生地は吸水しないので、逆冷え現象を阻止でき蓄熱、保温を効果的に保持できる。さらに、特別な固定手段を必要とせず、そのまま患部に当てても超極細繊維の凹凸が下着と接して滑ることがないので、滑ったりずれ落ちたりすることがなくなる。
【図面の簡単な説明】
【図１】本発明の保温シートの斜視図である。
【図２】図１のＡ−Ａ線拡大断面図である。
【図３】肩当パッドの正面図である。
【図４】図３のＢ−Ｂ線断面図である。
【図５】曲部当てパッドの正面図である。
【図６】腰部用当てパッドの正面図である。
【図７】敷きパッドの背面図である。
【図８】サポーターの側面図である。
【図９】肩覆いの正面図である。
【図１０】比較例の試験結果図である。
【符号の説明】
１    保温シート
２    表生地
２ａ  疎水性で熱伝導率の低い合成繊維
２ｂ  極細繊維
３    発泡体シート
４    裏生地
５    接着剤
【図１】
2004267665.tif 000003
【図２】
2004267665.tif 000004
【図３】
2004267665.tif 000005
【図４】
2004267665.tif 000006
【図５】
2004267665.tif 000007
【図６】
2004267665.tif 000008
【図７】
2004267665.tif 000009
【図８】
2004267665.tif 000010
【図９】
2004267665.tif 000011
【図１０】
2004267665.tif 000012